【手続補正書】
【提出日】平成15年12月16日(2003.12.16)
【手続補正１】
【補正対象書類名】明細書
【補正対象項目名】特許請求の範囲
【補正方法】変更
【補正の内容】
【特許請求の範囲】
【請求項１】
論理セクタをアクセス単位とする記録媒体からフレーム単位の整数倍で固定長となるデータストリームを該固定長のデータを記録データ単位として再生する情報再生装置であって、
記録媒体上に設けられて上記記録媒体に記録された情報内容の管理情報を記録する管理テーブルと、
上記管理テーブルを参照して上記情報内容の開始セクタ番号を検索してその開始セクタ番号からデータを読み出し制御する手段と
を有することを特徴とする情報再生装置。
【請求項２】
上記管理テーブルは、情報内容番号、情報内容名、開始セクタ番号及び使用セクタ数を管理情報として有することを特徴とする請求項１記載の情報再生装置。
【請求項３】
上記管理テーブルを参照して現情報内容のセクタ番号から現情報内容番号を検出し、上記現情報内容番号から前情報内容の開始セクタ番号を検出し、上記前情報内容の開始セクタ番号からデータを読み出し制御する前情報内容読み出し手段を有することを特徴とする請求項１記載の情報再生装置。
【請求項４】
上記管理テーブルを参照して現情報内容のセクタ番号から現情報内容番号を検出し、上記現情報内容番号から現情報内容の開始セクタ番号を検出し、上記現情報内容の開始セクタ番号からデータを読み出し制御する現情報内容読み出し手段を有することを特徴とする請求項１記載の情報再生装置。
【請求項５】
上記管理テーブルを参照して現情報内容のセクタ番号から現情報内容番号を検出し、上記現情報内容番号から次情報内容の開始セクタ番号を検出し、上記次情報内容の開始セクタ番号からデータを読み出し制御する次情報内容読み出し手段を有することを特徴とする請求項１記載の情報再生装置。
【請求項６】
上記管理テーブルを参照して各情報内容の開始セクタ番号を検出し、上記各内容情報の開始セクタ番号から読み出し制御するプレビュー手段を有することを特徴とする請求項１記載の情報再生装置。
【請求項７】
論理セクタをアクセス単位とする記録媒体からフレーム単位の整数倍で固定長となるデータストリームを該固定長のデータを記録データ単位として再生
する情報再生方法であって、
記録媒体上に設けられて上記記録媒体に記録された情報内容の管理情報を記録する管理テーブルを参照して上記情報内容の開始セクタ番号を検索してその開始セクタ番号からデータを読み出し制御する読み出し工程
を有することを特徴とする情報再生方法。
【請求項８】
上記管理テーブルは、情報内容番号、情報内容名、開始セクタ番号及び使用セクタ数を管理情報として有することを特徴とする請求項７記載の情報再生方法。
【請求項９】
論理セクタをアクセス単位とする記録媒体にフレーム単位の整数倍で固定長となるデータストリームを該固定長のデータを記録データ単位として記録する情報記録装置であって、
記録媒体上に設けられて上記記録媒体に記録された情報内容の管理情報を記録する管理テーブルと、
上記管理テーブルに情報内容の管理情報として、情報内容番号、情報内容名、開始セクタ番号及び使用セクタ数を書き込み制御する書き込み手段と
を有することを特徴とする情報記録装置。
【請求項１０】
論理セクタをアクセス単位とする記録媒体にフレーム単位の整数倍で固定長となるデータストリームを該固定長のデータを記録データ単位として記録する情報記録方法であって、
記録媒体上に設けられて上記記録媒体に記録された情報内容の管理情報を記録する管理テーブルに情報内容の管理情報として、情報内容番号、情報内容名、開始セクタ番号及び使用セクタ数を書き込み制御する書き込み工程
を有することを特徴とする情報記録方法。
【請求項１１】
論理セクタをアクセス単位とする記録媒体からフレーム単位の整数倍で固定長となるデータストリームを該固定長のデータを記録データ単位として再生する情報再生装置であって、
記録媒体上に設けられて上記記録媒体に記録された情報内容をシームレスに再生するシームレス管理情報を記録する管理テーブルと、
上記管理テーブルを参照して上記シームレス管理情報の順序に従い情報内容の開始セクタ番号から終了セクタ番号まで順に読み込んで再生する非線形編集手段と
を有することを特徴とする情報再生装置。
【請求項１２】
上記管理テーブルは、再生番号、開始セクタ番号及び終了セクタ番号を管理情報として有することを特徴とする請求項１１記載の情報再生装置。
【請求項１３】
論理セクタをアクセス単位とする記録媒体からフレーム単位の整数倍で固定長となるデータストリームを該固定長のデータを記録データ単位として再生する情報再生方法であって、
記録媒体上に設けられて上記記録媒体に記録された情報内容をシームレスに再生するシームレス管理情報を記録する管理テーブルを参照して上記シームレス管理情報の順序に従い情報内容の開始セクタ番号から終了セクタ番号まで順に読み込んで再生する非線形編集工程
を有することを特長とする情報再生方法。
【請求項１４】
上記管理テーブルは、再生番号、開始セクタ番号及び終了セクタ番号を管理情報として有することを特徴とする請求項１３記載の情報再生方法。
【請求項１５】
論理セクタをアクセス単位とする記録媒体からフレーム単位の整数倍で固定長となるデータストリームを該固定長のデータを記録データ単位として再生する情報編集装置であって、
記録媒体上に設けられて上記記録媒体に記録された情報内容をシームレスに再生するシームレス管理情報を記録する管理テーブルと、
上記記録媒体上の情報内容のシームレス再生対象を、再生順序に従って開始セクタ番号及び終了セクタ番号をシームレス管理情報を記録する管理テーブルに記録する非線形編集手段と
を有することを特徴とする情報編集装置。
【請求項１６】
上記管理テーブルは、再生番号、開始セクタ番号及び終了セクタ番号を管理情報として有することを特徴とする請求項１５記載の情報編集装置。
【請求項１７】
論理セクタをアクセス単位とする記録媒体からフレーム単位の整数倍で固定長となるデータストリームを該固定長のデータを記録データ単位として再生する情報編集方法であって、
記録媒体上に設けられて上記記録媒体に記録された情報内容をシームレスに再生するシームレス管理情報を記録する管理テーブルに情報内容を記録する非線形編集工程
を有することを特徴とする情報編集方法。
【請求項１８】
上記シームレス管理テーブルは、再生番号、情報内容名、開始セクタ番号及び終了セクタ番号を管理情報として有することを特徴とする請求項１７記載の情報編集方法。
【手続補正２】
【補正対象書類名】明細書
【補正対象項目名】００１５
【補正方法】変更
【補正の内容】
【００１５】
上記情報記録装置は、図１に示すように、撮像した被写体の映像をＡＶデジタルストリーム（ＤＶ信号）として供給するＤＶビデオカメラ１と、このＤＶビデオカメラ１等から受け取ったＡＶデジタルデータストリームを処理するインターフェースバッファボード１９及びＲＩＳＣ ＣＰＵボード２０と、このＲＩＳＣ ＣＰＵ３に対してモードの設定を命ずるモード選択コマンダ８と、上記ＤＶビデオカメラ１の映像をモニタするモニタ７とを有するディスクカメラシステムである。


【手続補正３】
【補正対象書類名】明細書
【補正対象項目名】００２１
【補正方法】変更
【補正の内容】
【００２１】
上記ネットワークインターフェース１１は、上記ＤＶビデオカメラ１等とを結ぶネットワークと上記２バンクＲＡＭ２ａとに接続され、上記ネットワークと２バンクＲＡＭ３３，３４とのインターフェースを行う。上記２バンクＲＡＭ３３，３４は、一端を上記ネットワークインターフェース１１に、他端をホストバス４に接続され、第１のＲＡＭ３３及び第２のＲＡＭ３４の２個のＲＡＭが第１の切り替えスイッチ３１及び第２の切り替えスイッチ３２にて切り替えられて書込み及び読み出しを交互になされることによりデータの転送速度等を調整する。


【手続補正４】
【補正対象書類名】明細書
【補正対象項目名】００２５
【補正方法】変更
【補正の内容】
【００２５】
上記ＲＯＭ（Read Only Memory）９は、制御コード、データ等を予め設定され、必要な場合に読み出される。このＲＯＭ９としては、例えば１ＭＢのものを用いることができる。


【手続補正５】
【補正対象書類名】明細書
【補正対象項目名】００２８
【補正方法】変更
【補正の内容】
【００２８】
上記ＡＴＡアダプタ５は、上記ホストバス４とＨＤＤ６とを直結するためのインターフェースである。このＡＴＡアダプタ５とＨＤＤ６との間は、いわゆるＥＩＤＥ（Enhanced Intelligent Drive Electronics）として知られる、ＡＮＳＩで定められたＡＴＡ標準方式にて結ばれている。このＥＩＤＥは、ＩＤＥ互換であるインターフェースであり、最大データ転送速度が３３Ｍバイト／秒である。


【手続補正６】
【補正対象書類名】明細書
【補正対象項目名】００３２
【補正方法】変更
【補正の内容】
【００３２】
上記情報記録再生装置においては、ＤＶ方式ＳＤ規格データ（ＤＶデータ）をＨＤＤ６に記録する場合、１フレームに対応する１１９２００ＢｙｔｅのＤＶデータは、ＲＩＳＣ ＣＰＵ３の制御によって、１フレームを２３３セクタ（１１９２９６Ｂｙｔｅ）に固定で割り当てられる。上記ＤＶビデオカメラ１の備えるエンコーダ／デコーダ１ａから転送された転送されたＡＶデジタルデータストリームは、２バンクＲＡＭ３３，３４を介して順次ＨＤＤ６のセクタに記録される。


【手続補正７】
【補正対象書類名】明細書
【補正対象項目名】００３４
【補正方法】変更
【補正の内容】
【００３４】
上記モニタ７は、表示画面とスピーカ７ａとを有し、上記ＤＶビデオカメラ１にて取得した映像及び音声を出力するものである。このモニタ７には、上記ＤＶビデオカメラ１を介して上記ＡＶマイコンシステム１０において記録される、又は上記ＡＶマイコンシステム１０において再生される映像及び音声が出力される。


【手続補正８】
【補正対象書類名】明細書
【補正対象項目名】００４８
【補正方法】変更
【補正の内容】
【００４８】
上記管理テーブルは、コンテンツ管理テーブルと、シームレス管理テーブルから構成されている。上記コンテンツ管理テーブルは、コンテンツデータが記録される度に更新される。コンテンツ管理テーブルには、コンテンツ番号、コンテンツ名、開始セクタ番号及び使用セクタ数が定義されている。また、シームレス再生を行うために、HDD６上のシームレス再生管理テーブルには、再生番号、開始セクタ番号、終了セクタ番号が定義されている。


【手続補正９】
【補正対象書類名】明細書
【補正対象項目名】００５４
【補正方法】変更
【補正の内容】
【００５４】
上記２バンクＲＡＭ２ａは、第１のフレームメモリ３３及び第２のフレームメモリ３４の２個のフレームメモリを備え、これら第１のフレームメモリ３３及び第２のフレームメモリ３４を切り替えてライト（書込み）及びリード（読み出し）を交互に行うことにより、データの転送速度の相違を調整している。すなわち、２バンクＲＡＭ２ａの各々のフレームメモリは、片方のフレームメモリに１フレーム時間内でデータを書き込み、他方のフレームメモリからは１フレーム時間内にデータを読み出すことにより、データの転送速度やデータの連続性が相違していても、１フレーム時間内の各メモリへの書き込みと読み出しを完了させればデータの連続性が維持されるので、連続デジタルデータの転送を行うことができる。
【手続補正１０】
【補正対象書類名】明細書
【補正対象項目名】００７８
【補正方法】変更
【補正の内容】
【００７８】
ステップＳ１３においては、１フレームに対応する２３３セクタをリードする。そして、これに続くステップＳ１４においてはステータスレジスタ（Ｓｔａｔｕｓ＿ｒｅｇ）のイネーブルビットを１として、ステップＳ１５に進む


【手続補正１１】
【補正対象書類名】明細書
【補正対象項目名】００８１
【補正方法】変更
【補正の内容】
【００８１】
このステップＳ１５及びステップＳ１６を含むループは、再生時にはＨＤＤからの２バンクＲＡＭへの書き込み終了待ち、録画時には２バンクＲＡＭからＨＤＤへの書き込み終了待ちを行っている。これらの書き込みが終了すると、Ｓｔａｔｕｓ＿ｒｅｇにはハード的に“０”が書き込まれるため、１フレーム分のデータの書き込みが終了したか否かを判別できる。そして、この書き込みが終了すると、この２バンクＲＡＭの切り換えが行われる。


【手続補正１２】
【補正対象書類名】明細書
【補正対象項目名】００８４
【補正方法】変更
【補正の内容】
【００８４】
ステップＳ３１においては、情報内容番号、情報内容名、開始セクタ番号及び終了セクタ番号を管理するシームレス再生管理テーブルデータを、ＨＤＤからＳＲＡＭへの読み込みを行う。そして、ステップＳ３２に進む。ステップＳ３２においては、管理テーブルへの登録数を示す変数ＭＡＸに管理テーブルへの登録数を設定する。そして、ステップＳ３３に進む。


【手続補正１３】
【補正対象書類名】明細書
【補正対象項目名】００９２
【補正方法】変更
【補正の内容】
【００９２】
ステップＳ５０においては、ＨＤＤ上のコンテンツ管理テーブルに開始セクタ番号、使用セクタ数及びコンテンツ名を管理データとして記録し、次のステップＳ５１においては次のコマンドの制御を開始する。そして、この一連の工程を終了する。


【手続補正１４】
【補正対象書類名】明細書
【補正対象項目名】００９６
【補正方法】変更
【補正の内容】
【００９６】
ステップＳ６５においてはＤＶデータをＨＤＤに記録するＲＥＣを行い、次のステップＳ６６においては終了コマンドを発行する。そして、ステップＳ６７に進む。


【手続補正１５】
【補正対象書類名】明細書
【補正対象項目名】００９８
【補正方法】変更
【補正の内容】
【００９８】
ステップＳ６９においては、ＨＤＤ上のシームレス管理テーブルに再生番号、開始セクタ番号及び終了セクタ番号を管理データとして記録し、ステップＳ７０においては変数の再生ＮＯをインクリメントする。そして、次のステップＳ７０に進む。


【手続補正１６】
【補正対象書類名】明細書
【補正対象項目名】０１０３
【補正方法】変更
【補正の内容】
【０１０３】
上記コンテンツ管理テーブルには、最大１２０個のコンテンツが登録される。上記シームレス再生管理テーブルには、最大２４０個のシームレス再生コンテンツが登録される。上記データ領域には、最大１２０個のＤＶ方式のＡＶデジタルデータストリームが記録される。１コンテンツを記録すると、ＨＤＤ上で最低５秒（０ｘ８８６９セクタ）分の領域が使用される。


【手続補正１７】
【補正対象書類名】明細書
【補正対象項目名】０１０５
【補正方法】変更
【補正の内容】
【０１０５】
このコンテンツ管理テーブルのＴＯＣの具体例は、図１０に示すように、４行のデータから構成されている。即ち、第１行のオフセット０ｈ、バイト数１ｈの部分にはコンテンツ番号が記録され、第２行のオフセット１ｈ、バイト数２０ｈの部分にはコンテンツ名が記録され、第３行のオフセット２１ｈ、バイト数が３ｈの部分には開始セクタ番号が記録され、第４行のオフセット２４ｈ、バイト数３ｈの部分には使用セクタ数が記録されている。ここで、“ｈ”は、これに先行する数字が１６進表現であることを示している。


【手続補正１８】
【補正対象書類名】明細書
【補正対象項目名】０１０９
【補正方法】変更
【補正の内容】
【０１０９】
このコンテンツ管理テーブルの具体例は、図１２に示すように、コンテンツ番号、コンテンツ名、開始セクタ番号及び使用セクタ数について、５行のデータから構成されている。


【手続補正１９】
【補正対象書類名】明細書
【補正対象項目名】０１１０
【補正方法】変更
【補正の内容】
【０１１０】
即ち、第１行については、コンテンツ名が“ＡＡＡ”、開始セクタ番号が０、使用セクタ数が０ｘ１０００００である。第２行については、コンテンツ名が“ＢＢＢ”、開始セクタ番号が０ｘ１００００００、使用セクタ数が０ｘ８００００である。第３行については、コンテンツ名が“ＣＣＣ”、開始セクタ番号が０ｘ１８０００００、使用セクタ数が０ｘ２００００である。第３行については、コンテンツ名が“ＤＤＤ”、開始セクタ番号が０ｘ２０００００、使用セクタ数が０ｘ１０００００である。第４行については、コンテンツ名が“カメラ”、開始セクタ番号が０ｘ３０００００、使用セクタ数が０ｘ１０００００である。


【手続補正２０】
【補正対象書類名】明細書
【補正対象項目名】０１１６
【補正方法】変更
【補正の内容】
【０１１６】
現在のところ再生されている現セクタＰは、図中（ａ）の行に示されているように、コンテンツ“ＤＤＤ”内に位置している。この現コンテンツの前のコンテンツであるプリビアスコンテンツに移動する場合には、この現コンテンツからコンテンツ番号を検出し、この現コンテンツ番号から１を引いて、前コンテンツ番号を検出し、その後前コンテンツの開始セクタ番号に到達することによりプリビアスコンテンツの先頭に達すことができる。


【手続補正２１】
【補正対象書類名】明細書
【補正対象項目名】０１２３
【補正方法】変更
【補正の内容】
【０１２３】
プリビアス（previous）／トップ（top）／ネクスト（next）コンテンツ機能は、このプリビアス／トップ／ネクストコンテンツ機能指定すると、命令を受け取ったシステムは、管理テーブルデータを参照することによって、まず、現セクタ番号から現コンテンツ番号を検索する。現コンテンツ番号からそれぞれの命令に従って、前コンテンツ／現コンテンツ／次コンテンツの開始セクタ番号を検索し、瞬時に開始セクタ番号にアクセスし、開始セクタ番号からフレームデータを読み込み、フレームデータを画面に表示させるような機能であった。


【手続補正２２】
【補正対象書類名】図面
【補正対象項目名】図１
【補正方法】変更
【補正の内容】
【図１】
1999086517.tif 000001
【手続補正２３】
【補正対象書類名】図面
【補正対象項目名】図５
【補正方法】変更
【補正の内容】
【図５】
1999086517.tif 000002
【手続補正２４】
【補正対象書類名】図面
【補正対象項目名】図１０
【補正方法】変更
【補正の内容】
【図１０】
1999086517.tif 000003